【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、正の屈折力の第３レンズ群からなり、
ズーミングに際して隣り合うレンズ群の間隔が変化するズームレンズにおいて、
前記第２レンズ群は、物体側より像側へ順に、正レンズ、正レンズと負レンズを接合した接合レンズからなり、前記第２レンズ群の焦点距離をｆ２、望遠端における全系の焦点距離をｆＴ、全系に含まれる正レンズの材料の屈折率の平均値をＮｐａｖｅとしたとき、
０．１００＜ｆ２／ｆＴ＜０．４２５
１．７５＜Ｎｐａｖｅ＜２．５０
なる条件式を満足することを特徴とするズームレンズ。
【請求項２】
前記第３レンズ群の焦点距離をｆ３とするとき、
０．５＜ｆ３／ｆＴ＜１．０
なる条件式を満足することを特徴とする請求項１に記載のズームレンズ。
【請求項３】
前記第１レンズ群と前記第３レンズ群の焦点距離を各々ｆ１、ｆ３とするとき、
０．３＜｜ｆ１／ｆ３｜＜０．７
なる条件式を満足することを特徴とする請求項１又は２に記載のズームレンズ。
【請求項４】
前記第２レンズ群の広角端における結像倍率をβ２ｗ、前記第２レンズ群の望遠端における結像倍率をβ２ｔとするとき、
４．５５＜β２ｔ／β２ｗ＜８．００
なる条件式を満足することを特徴とする請求項１乃至３のいずれか１項に記載のズームレンズ。
【請求項５】
全系に含まれる全ての正レンズの焦点距離の平均値をｆｐａｖｅ、全系に含まれる全ての負レンズの焦点距離の平均値をｆｎａｖｅとするとき、
１．０＜｜ｆｐａｖｅ／ｆｎａｖｅ｜＜２．６
なる条件式を満足することを特徴とする請求項１乃至４のいずれか１項に記載のズームレンズ。
【請求項６】
全系に含まれる全ての正レンズの材料のアッベ数の平均値をνｐａｖｅとするとき、
３０＜νｐａｖｅ＜４５
なる条件式を満足することを特徴とする請求項１乃至５のいずれか１項に記載のズームレンズ。
【請求項７】
前記第２レンズ群に含まれる接合レンズの接合レンズ面の曲率半径をＲ２ｃとするとき、
−１．１０＜Ｒ２ｃ／ｆＴ＜−０．０５
なる条件式を満足することを特徴とする請求項１乃至６のいずれか１項に記載のズームレンズ。
【請求項８】
前記第１レンズ群は、１枚の負レンズと１枚の正レンズを有することを特徴とする請求項１乃至７のいずれか１項に記載のズームレンズ。
【請求項９】
前記第３レンズ群は、１枚の正レンズからなることを特徴とする請求項１乃至８のいずれか１項に記載のズームレンズ。
【請求項１０】
請求項１乃至９のいずれか１項に記載のズームレンズと、該ズームレンズによって形成される像を受光する固体撮像素子とを有することを特徴とする撮像装置。
【手続補正２】
【補正対象書類名】明細書
【補正対象項目名】００１０
【補正方法】変更
【補正の内容】
【００１０】
本発明のズームレンズは、物体側より像側へ順に、負の屈折力の第１レンズ群、正の屈折力の第２レンズ群、正の屈折力の第３レンズ群からなり、
ズーミングに際して隣り合うレンズ群の間隔が変化するズームレンズにおいて、
前記第２レンズ群は、物体側より像側へ順に、正レンズ、正レンズと負レンズを接合した接合レンズからなり、前記第２レンズ群の焦点距離をｆ２、望遠端における全系の焦点距離をｆＴ、全系に含まれる正レンズの材料の屈折率の平均値をＮｐａｖｅとしたとき、
０．１００＜ｆ２／ｆＴ＜０．４２５
１．７５＜Ｎｐａｖｅ＜２．５０
なる条件式を満足することを特徴と
ことを特徴としている。
【手続補正３】
【補正対象書類名】明細書
【補正対象項目名】００１３
【補正方法】変更
【補正の内容】
【００１３】
以下に本発明の好ましい実施形態を添付の図面に基づいて詳細に説明する。本発明のズームレンズは、物体側より像側へ順に、負の屈折力の第１レンズ群、正の屈折力の第２レンズ群、正の屈折力の第３レンズ群からなっている。そして、ズーミングに際して隣り合うレンズ群の間隔が変化する。
【手続補正４】
【補正対象書類名】明細書
【補正対象項目名】００２０
【補正方法】変更
【補正の内容】
【００２０】
ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。収差図において、ｄ、Ｆは各々ｄ線及びＦ線、ΔＭ、ΔＳはメリディオナル像面、サジタル像面を表している。また、軸上および倍率色収差は、ｇ線によって表している。ＦｎｏはＦナンバー、ωは半画角（度）である。
【手続補正５】
【補正対象書類名】明細書
【補正対象項目名】００２３
【補正方法】変更
【補正の内容】
【００２３】
各実施例において、第２レンズ群Ｌ２は、物体側より像側へ順に、正レンズ、正レンズと負レンズを接合した接合レンズからなっている。第２レンズ群Ｌ２の焦点距離をｆ２、望遠端における全系の焦点距離をｆＴ、全系に含まれる正レンズの材料の屈折率の平均値をＮｐａｖｅとする。
【手続補正６】
【補正対象書類名】明細書
【補正対象項目名】００２９
【補正方法】変更
【補正の内容】
【００２９】
各実施例において更に好ましくは次の諸条件のうち１つ以上を満足するのが良い。第１レンズ群Ｌ１と第３レンズ群Ｌ３の焦点距離を各々ｆ１、ｆ３とする。第２レンズ群Ｌ２の広角端における結像倍率をβ２ｗ、第２レンズ群Ｌ２の望遠端における結像倍率をβ２ｔとする。
【手続補正７】
【補正対象書類名】明細書
【補正対象項目名】００３０
【補正方法】変更
【補正の内容】
【００３０】
全系に含まれる全ての正レンズの焦点距離の平均値をｆｐａｖｅ、全系に含まれる全ての負レンズの焦点距離の平均値をｆｎａｖｅとする。全系に含まれる全ての正レンズの材料のアッベ数の平均値をνｐａｖｅとする。第２レンズ群Ｌ２に含まれる接合レンズの接合レンズ面の曲率半径をＲ２ｃとする。
【手続補正８】
【補正対象書類名】明細書
【補正対象項目名】００３９
【補正方法】変更
【補正の内容】
【００３９】
条件式（８）は、第２レンズ群Ｌ２に含まれる接合レンズの接合レンズ面の曲率半径と望遠端における全系の焦点距離の関係を規定する。望遠端における全系の焦点距離を固定とすると、条件式（８）の下限を超えた場合、接合レンズ面の曲率が緩くなり過ぎるため、望遠端で球面収差がオーバー側に多く発生する。また上限を超えて接合レンズ面の曲率半径が小さくなると、接合レンズ面の曲率がきつくなり過ぎるため、広角端で像面湾曲がオーバー側に多く発生する。
【手続補正９】
【補正対象書類名】明細書
【補正対象項目名】００４７
【補正方法】変更
【補正の内容】
【００４７】
第３レンズ群Ｌ３は１枚の正レンズで構成している。各実施例ではフォーカシングを第３レンズ群Ｌ３で行っている。第３レンズ群Ｌ３が軽量化できるため迅速なフォーカスが容易となる。また第３レンズ群Ｌ３の正レンズは高屈折率材料とし、第３レンズ群Ｌ３の薄型化とペッツバール和を低減している。なお各実施例において任意のレンズ群を光軸と垂直な方向の成分を持つように移動させて結像位置を光軸に対し垂直方向に移動させる手ぶれ補正を行うようにしても良い。
【手続補正１０】
【補正対象書類名】明細書
【補正対象項目名】００５０
【補正方法】変更
【補正の内容】
【００５０】
数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料のｄ線に対する屈折率、アッベ数である。また、もっとも像側の２面は水晶ローパスフィルタ、赤外カットフィルタ等のフィルタ部材である。バックフォーカスＢＦは最終面（フィルタ部材面）から像面までの距離で示している。レンズ全長は第１レンズ面から像面までの距離である。非球面形状は光軸方向にＸ軸、光軸と垂直方向にＨ軸、光の進行方向を正としＲを近軸曲率半径、Kを円錐定数、A4，A6，A8，A10，A12を各々非球面係数としたとき、
【手続補正１１】
【補正対象書類名】明細書
【補正対象項目名】００５３
【補正方法】変更
【補正の内容】
【００５３】
［数値実施例1］
単位 mm
面データ
面番号       r        d      nd         νd       
1*      -244.000    0.70   1.84954    40.1       
2*         7.400    1.88                         
3          9.022    1.45   1.92286    18.9       
4         13.950    (d4)                         
5*         6.285    1.35   1.62263    58.2        
6*       -21.918    0.28                          
7(絞り)    ∞      -0.18                         
8         11.300    2.10   1.80400    46.6        
9         -4.980    0.40   1.64769    33.8        
10          3.670    (d10)                         
11         67.232    1.55   1.69680    55.5        
12        -17.500   (d12)                          
13          ∞       0.95   1.51633    64.1       
14          ∞       0.78                         
像面        ∞   
非球面データ
第1面
K = 0.00000e+000  A 4= 1.27407e-004  A 6= 3.26078e-006  A 8=-1.64099e-007
A10= 2.83084e-009  A12=-1.72672e-011  
第2面
K =-2.19503e-001  A 4= 1.62728e-004  A 6= 1.06193e-005  A 8=-2.48633e-007
A10= 1.45984e-009  A12= 6.10273e-011  
第5面
K = 5.69257e-001  A 4=-1.14859e-003  A 6=-4.99588e-005  A 8=-1.33037e-006
A10=-3.24329e-008  
第6面
K = 5.33718e+000  A 4= 3.99345e-004  A 6=-2.60507e-005  
各種データ
ズーム比      4.71 
焦点距離       5.15    14.58    24.23     
Fナンバー      2.83     4.94     7.10     
半画角（度）   32.91    14.89     9.09    
像高           3.33     3.88     3.88    
レンズ全長    35.71    31.28    37.25   
BF             0.78     0.78     0.78    
d 4           16.71     3.39     0.47   
d10            5.00    14.12    23.19     
d12            2.75     2.52     2.34     
ズームレンズ群データ
群  始面    焦点距離  レンズ構成長  
1    1     -13.54         4.03        
2    5      10.07         3.95        
3   11      20.08         1.55         
単レンズデータ
レンズ  始面  焦点距離
1       1     -8.44
2       3     24.25
3       5      7.99
4       8      4.56
5       9     -3.20
6      11     20.08
【手続補正１２】
【補正対象書類名】明細書
【補正対象項目名】００５４
【補正方法】変更
【補正の内容】
【００５４】
[数値実施例2]
単位 mm
面データ
面番号       r        d      nd         νd       
1*      -200.369    0.70   1.84954    40.1       
2*         7.341    1.88                         
3          9.027    1.45   1.92286    18.9       
4         13.985  (d4)                         
5*         6.865    1.26   1.61881    63.9        
6*       -40.897    0.10                         
7*         7.420    2.27   1.83481    42.7        
8         -5.252    0.34   1.73800    32.3        
9          3.812    1.05                          
10(絞り)    ∞     (d10)                          
11         49.186    1.55   1.71300    53.9        
12        -20.077  (d12)                          
13          ∞       0.80   1.51633    64.1       
14          ∞       0.78                          
像面        ∞   
非球面データ
第1面
K = 0.00000e+000  A 4= 1.93428e-004  A 6= 4.62720e-006  A 8=-2.39825e-007
A10= 3.89688e-009  A12=-2.57932e-011  
第2面
K = 1.76121e-002  A 4= 1.59556e-004  A 6= 1.56727e-005  A 8=-6.44288e-007
A10= 1.96194e-008  A12=-3.58599e-010  
第5面
K = 1.01292e+000  A 4=-4.98722e-004  A 6= 7.46824e-005  A 8=-3.05102e-006
A10=-8.70046e-008  
第6面
K = 7.96479e+000  A 4= 6.28257e-004  A 6= 9.22628e-005  A 8=-8.70775e-006
第7面
K =-1.94418e-002  A 4=-7.50433e-005  A 6=-1.05487e-005  A 8=-6.37663e-006
各種データ
ズーム比      5.44 
焦点距離       5.15    14.44    28.00      
Fナンバー      3.50     5.50     7.10     
半画角（度）   32.91    15.02     7.88   
レンズ全長    35.57    31.53    40.34      
BF             0.78     0.78     0.78       
d 4           16.71     3.87     0.36     
d10            3.94    13.17    25.80    
d12            2.75     2.32     2.00     
ズームレンズ群データ
群  始面    焦点距離    
1    1     -13.26               
2    5      10.00              
3   11      20.18                            
単レンズデータ
レンズ  始面  焦点距離
1       1     -8.32
2       3     24.19
3       5      9.60
4       7      4.01
5       8     -2.95
6      11     20.18
【手続補正１３】
【補正対象書類名】明細書
【補正対象項目名】００５５
【補正方法】変更
【補正の内容】
【００５５】
[数値実施例３]
単位 mm
面データ
面番号       r        d      nd         νd       
1*       -94.563    0.70   1.84954    40.1       
2*         7.540    1.19                         
3          8.586    1.45   2.00272    19.3       
4         13.178    (d4)                         
5*         6.302    1.26   1.69680    55.5        
6*      -129.551    0.10                          
7*         8.966    1.95   1.85135    40.1        
8         -5.729    0.36   1.69895    30.1        
9          3.847    1.05                          
10(絞り)    ∞     (d10)                          
11         58.203    1.50   1.69680    55.5        
12        -17.689  (d12)                          
13          ∞       0.80   1.51633    64.1        
14          ∞       0.77                          
像面        ∞   
非球面データ
第1面
K = 0.00000e+000  A 4= 1.40761e-004  A 6= 6.45121e-006  A 8=-2.46671e-007
A10= 3.43030e-009  A12=-2.18708e-011  
第2面
K =-1.35886e-002  A 4= 1.11873e-004  A 6= 1.71606e-005  A 8=-6.23979e-007
A10= 1.96950e-008  A12=-3.80446e-010  
第5面
K = 9.35720e-001  A 4=-7.55875e-004  A 6= 3.49405e-005  A 8=-1.02020e-006
A10=-8.70046e-008  
第6面
K =-5.07561e+002  A 4= 7.39165e-004  A 6= 1.55692e-005  A 8=-1.22381e-006
第7面
K = 8.02453e-001  A 4=-8.79521e-005  A 6=-5.20097e-005  A 8=-1.76970e-006
各種データ
ズーム比      5.84 
焦点距離       5.13    16.42    30.00       
Fナンバー      3.63     5.50     7.10       
半画角（度）   32.98    13.28     7.36          
レンズ全長    34.52    31.32    40.41      
BF             0.77     0.77     0.77       
d 4           16.71     3.16     0.33      
d10            3.94    14.72    26.96     
d12            2.75     2.32     2.00      
ズームレンズ群データ
群  始面    焦点距離  レンズ構成長  
1    1     -13.40         3.34         
2    5       9.77         4.72       
3   11      19.63         1.50        
単レンズデータ
レンズ  始面  焦点距離
1       1     -8.19
2       3     21.22
3       5      8.66
4       7      4.37
5       8     -3.24
6      11     19.63
【手続補正１４】
【補正対象書類名】明細書
【補正対象項目名】００５６
【補正方法】変更
【補正の内容】
【００５６】
[数値実施例４]
単位 mm
面データ
面番号       r        d      nd         νd       
1*       -48.511    0.70   1.88202    37.2      
2*         8.016    0.98                         
3         10.412    1.45   2.14352    17.8       
4         18.940    (d4)                         
5*         6.663    1.26   1.85135    40.1        
6*      -480.964    0.10                          
7*         6.245    1.30   1.85135    40.1        
8        -29.629    0.40   1.84666    23.8        
9          3.771    1.05                          
10(絞り)    ∞       (d10)                          
11*        45.533    1.25   1.88202    37.2        
12*       -28.426    (d12)                          
13          ∞       1.20   1.51633    64.1        
14          ∞       0.78                          
像面        ∞   
非球面データ
第1面
K = 0.00000e+000  A 4= 1.42472e-004  A 6= 5.97863e-006  A 8=-2.37081e-007
A10= 3.47991e-009  A12=-2.25759e-011  
第2面
K =-7.03070e-001  A 4= 1.89888e-004  A 6= 2.35345e-005  A 8=-1.02266e-006
A10= 3.01242e-008  A12=-4.31911e-010  
第5面
K = 7.46357e-001  A 4=-6.34087e-004  A 6= 5.47762e-005  A 8=-1.04910e-005
A10=-8.70046e-008  
第6面
K = 2.09038e+004  A 4=-1.38720e-004  A 6=-2.32421e-005  A 8=-4.01514e-006
第7面
K =-1.11610e+000  A 4= 2.89608e-004  A 6=-1.16973e-004  A 8= 9.31385e-006
第11面
K =-4.17513e+002  A 4= 2.54230e-004  A 6=-2.03919e-005  A 8= 2.16527e-007
第12面
K = 4.15534e+000  A 4=-9.99102e-005  A 6=-4.64186e-006  A 8=-5.65051e-008
各種データ
ズーム比      5.39 
焦点距離       5.16    10.83    27.83      
Fナンバー      3.50     5.50     7.10      
半画角（度）   32.18    19.69     7.93     
像高           3.25     3.88     3.88    
レンズ全長    33.86    28.80    38.06      
BF             0.78     0.78     0.78       
d 4           16.71     6.38     0.61      
d10            3.94     9.41    24.99       
d12            2.75     2.54     2.00     
ズームレンズ群データ
群  始面    焦点距離  レンズ構成長  
1    1     -13.67         3.13         
2    5       9.79         4.11        
3   11      20.00         1.25                
単レンズデータ
レンズ  始面  焦点距離
1       1     -7.75
2       3     18.54
3       5      7.73
4       7      6.16
5       8     -3.93
6      11     20.00
前述の各条件式と数値実施例における諸数値の関係を表１に示す。 
【手続補正１５】
【補正対象書類名】明細書
【補正対象項目名】００５８
【補正方法】変更
【補正の内容】
【００５８】
次に本発明のズームレンズを撮影光学系として用いたデジタルカメラ（光学機器）の実施形態を図９を用いて説明する。図９において、２０はデジタルカメラ本体、２１は上述の実施形態のズームレンズによって構成された撮影光学系、２２は撮影光学系２１によって形成された像を受光するＣＣＤ等の撮像素子（固体撮像素子）である。２３は撮像素子２２が受光した被写体像を記録する記録手段、２４は不図示の表示素子に表示された被写体像を観察するためのファインダーである。